(57)【要約】【課題】既存設備を利用して安価に実施可能で、しかも目視にて容易に且つ確実に開封を確認可能な収納箱を提供する。【解決手段】上面を開放した箱本体２と、箱本体２の後側板に連設されて箱本体２の上面開口部を開閉する蓋体４とを備え、前側板３Ｆに内側へ折り返して重ね合わされる折り返し部５を連設し、蓋体４の遊端部に、折り返し部５の内面に沿って箱本体２内に差し込み可能な差し込み部６を連設し、前側板３Ｆにおける上部に差し込み部６に対面させて第１切取部７を形成し、第１切取部７に対面する位置において折り返し部５に第２切取部８を形成し、第２切取部８を差し込み部５に接着して閉蓋し、開封に伴って第１切取部７が脱落するように構成した。【選択図】図２
2008120420.tif 000002
【特許請求の範囲】
【請求項１】
上面を開放した箱本体と、箱本体の第１側板に連設されて箱本体の上面開口部を開閉する蓋体とを備え、
前記第１側板に対面する第２側板に内側へ折り返して第２側板に重ね合わされる折り返し部を連設し、
前記蓋体の遊端部に、折り返し部の内面に沿って箱本体内に差し込み可能な差し込み部を連設し、
前記第２側板における上部に差し込み部に対面させて第１切取部を形成し、
前記第１切取部に対面する位置において折り返し部に第２切取部を形成し、
前記第２切取部を差し込み部に接着して閉蓋する、
ことを特徴とする開封確認可能な収納箱。
【請求項２】
前記第２切取部の一部を切り欠いて開口部を形成し、前記差し込み部に、開封済みを表示する表示部を開口部から透視可能に形成した請求項１記載の開封確認可能な収納箱。
【請求項３】
前記第１切取部を第２側板の上部の左右方向の中央部に形成した請求項１又は２記載の開封確認可能な収納箱。
【請求項４】
上面を開放した箱本体と、箱本体の第１側板に連設されて箱本体の上面開口部を開閉する蓋体とを備え、
前記蓋体の遊端部に、第１側板に対面する第２側板の内面に沿って箱本体内に差し込み可能な差し込み部を連設し、
前記第２側板における上部に差し込み部に対面させて第１切取部を形成し、
前記第１切取部に隣接させて第２側板に第２切取部を形成し、
前記第２切取部を差し込み部に接着して閉蓋する、
ことを特徴とする開封確認可能な収納箱。
【請求項５】
前記第１切取部に対面する差し込み部の表面に開封済みを表示する表示部を形成した請求項４記載の開封確認可能な収納箱。
【請求項６】
前記第２切取部を第２側板の上部の左右方向の中央部に形成した請求項４又は５記載の開封確認可能な収納箱。
【発明の詳細な説明】
【技術分野】
【０００１】
本発明は、蓋体をホットメルト接着剤などの接着剤で閉蓋してなる収納箱において、特に蓋体の開封確認が可能な収納箱に関する。
【背景技術】
【０００２】
食品や医薬品等を収納する紙製の収納箱として、上面を開放した箱本体と、箱本体の第１側板に連設されて箱本体の上面開口部を開閉する蓋体とを備え、前記蓋体の遊端部に、第１側板に対面する第２側板の内面に沿って箱本体内に差し込み可能な差し込み部を形成し、閉蓋状態において第２側板と差し込み部とをホットメルト接着剤などの接着剤で接着するとともに、この接着部を取り囲むように第２側板にミシン目や切込み等により切り取り可能な切取部を形成してなる閉蓋構造を備えたものが広く実用化されている。
【０００３】
この収納箱では、ホットメルト接着剤などの接着剤で蓋体に接着された切取部に指を押し付けて、ミシン目や切込み等に沿って切取部を箱本体から切り離し、蓋体を開封できるように構成され、箱本体から切り離した切取部は差し込み部に付着した状態に維持されるように構成されている。
【０００４】
ところで、前記収納箱では、開封後、蓋体を閉蓋状態に戻すと、切取部が元の位置に配置されることから、内容物の抜き取りや入れ替えなどの不正がなされた後、閉蓋すると目視により不正がなされたことを容易に発見できないという問題があった。
【０００５】
そこで、収納箱として、内容物の抜き取りや入れ替えを防止するとともに、万一、内容物の抜き取りや入れ替えがなされた場合でも、それを容易に発見できるようにするため、収納箱に対して開封確認機能を備えさせたものが種々提案されている。
【０００６】
例えば、特許文献１記載の紙箱のように、底板と４つの側板とを有する箱本体と、後側板に連設されて箱本体の開口部を覆う蓋体とを有し、蓋体の先端部に前側板の内面に沿って差し込み可能な差し込み部を設け、差し込み部に、差し込み部の他の部分よりも差し込み長さの長いガイド部を形成し、ガイド部とは異なる位置に対応する蓋体の位置に、孔部を形成可能な指掛部と、蓋体の組立状態において、指掛部と前側板とを連結する封緘手段を形成し、指掛部を切り取って蓋体に孔部を形成し、該孔部を通じて、一方の側部翼板に印刷した開封済み表示部を目視できるように構成したものが提案されている。
【０００７】
【特許文献１】特開２００５−２９８０４９号公報
【発明の開示】
【発明が解決しようとする課題】
【０００８】
特許文献１記載の紙箱では、一方の側部翼板に印刷した開封済み表示部を、孔部を通じて目視できるように構成している関係上、蓋体における指掛部の形成位置は、閉蓋状態において側部翼板に対面する位置に限定される。しかし、通常の紙箱は、蓋体の左右方向の中央部に封緘テープを貼り付けるなどして閉蓋され、蓋体に対してなされる商品名等の各種印刷が、封緘テープにより隠されないように、各種印刷がレイアウトされている関係上、特許文献1記載のように、指掛部を側部翼板に対面する位置に形成すると、蓋体に対する印刷レイアウトを大幅に変更する必要があるという問題がある。また、側部翼板は内容物で支持されている関係上、内容物によっては包装状態において側部翼板が傾斜することもあり、開封済みの表示部が孔部から離間して、表示内容が見辛くなるという問題もある。しかも、特許文献１記載の紙箱では、封緘テープを設けることが必須であり、ホットメルト接着剤で接着する場合と比較して、紙箱の製作コストが高くなるという問題もある。
【０００９】
本発明の目的は、既存設備を利用して安価に実施可能で、しかも目視にて容易に且つ確実に開封を確認可能な収納箱を提供することである。
【課題を解決するための手段】
【００１０】
本発明に係る第１の開封確認可能な収納箱は、上面を開放した箱本体と、箱本体の第１側板に連設されて箱本体の上面開口部を開閉する蓋体とを備え、前記第１側板に対面する第２側板に内側へ折り返して第２側板に重ね合わされる折り返し部を連設し、前記蓋体の遊端部に、折り返し部の内面に沿って箱本体内に差し込み可能な差し込み部を連設し、前記第２側板における上部に差し込み部に対面させて第１切取部を形成し、前記第１切取部に対面する位置において折り返し部に第２切取部を形成し、前記第２切取部を差し込み部に接着して閉蓋するものである。
【００１１】
この第１の開封確認可能な収納箱を開封する際には、第１切取部に指を押し付けて、第１切取部を第２側板から切り離すとともに、第２切取部を折り返し部から切り離して、蓋体を開放操作することで開封することになる。そして、このとき第２切取部はホットメルト接着剤などの接着剤で差し込み部に接着されていることから、差し込み部に付着した状態となり、第１切取部は収納箱から切り離されて脱落することになる。このため、収納箱を一旦開封すると、その後蓋体を閉蓋しても第１切取部が脱落していることから、開封されたことを目視にて容易に確認することができる。しかも、通常、収納箱を構成する素材シートの表面には印刷が施されているが、裏面は無地或いは地肌のままとされており、第１切取部が脱落した後の第２側板の開口からは第２切取部の裏面が露出するので、印刷の有無や印刷形態の差異により、開封されたことを明確に且つ容易に確認することができる。また、特許文献１記載の紙箱とは異なり、封緘テープを用いないので、封緘テープにより収納箱に対する印刷の自由度が制約されることもない。
【００１２】
ここで、前記第１の開封確認可能な収納箱において、前記第２切取部の一部を切り欠いて開口部を形成し、前記差し込み部に、開封済みを表示する表示部を開口部から透視可能に形成することが好ましい実施の形態である。この場合には、一旦開封すると、蓋体を元の閉蓋位置に戻しても、第１切取部の脱落により形成される第２側板の開口と、第２切取部を切り欠いて形成された開口部を通して表示部を目視することができ、表示部に例えば「開封済」などの文字を印刷することで、誰でもが容易に開封の有無を確認することができる。しかも、差し込み部の表面側に印刷を施すことになるので、素材シートの裏面に対して印刷を行う必要がなく、素材シートに対する印刷工程が増えることもない。
【００１３】
また、前記第１切取部を第２側板の上部の左右方向の中央部に形成することも好ましい実施の形態である。つまり、第１切取部は収納箱の左右方向の任意の位置に形成することができるが、従来の収納箱と同様に、第１切取部を第２側板の上部の左右方向の中央部に形成すると、第１切取部に対面させて形成する第２切取部を、既存の設備を利用して差し込み部にホットメルト接着剤などの接着剤で接着することができる。
【００１４】
本発明に係る第２の開封確認可能な収納箱は、上面を開放した箱本体と、箱本体の第１側板に連設されて箱本体の上面開口部を開閉する蓋体とを備え、前記蓋体の遊端部に、第１側板に対面する第２側板の内面に沿って箱本体内に差し込み可能な差し込み部を連設し、前記第２側板における上部に差し込み部に対面させて第１切取部を形成し、前記第１切取部に隣接させて第２側板に第２切取部を形成し、前記第２切取部を差し込み部に接着して閉蓋するものである。
【００１５】
この第２の開封確認可能な収納箱を開封する際には、第１切取部に指を押し付けて、第１切取部を第２側板から切り離して開封することになるが、このとき第２切取部が差し込み部とともに収納箱の内側へ押し操作されて、第２切取部が第２側板から切り離されることになる。このため、第２切取部は差し込み部に付着した状態となり、第１切取部は収納箱から切り離されて脱落することになり、収納箱を一旦開封すると、その後蓋体を閉蓋しても第１切取部が脱落していることから、開封されたことを目視にて容易に確認することができる。しかも、第１切取部が脱落した後の開口を通して差し込み部の表面が露出するので、収納箱の外面と差し込み部の表面の印刷に色や模様など異なる形態の印刷を施すことで、印刷形態の差異により開封されていることを明確に且つ容易に確認することができる。また、特許文献１記載の紙箱とは異なり、封緘テープを用いないので、封緘テープにより収納箱に対する印刷の自由度が制約されることもない。
【００１６】
ここで、前記第２の開封確認可能な収納箱において、前記第１切取部に対面する差し込み部の表面に開封済みを表示する表示部を形成することもできる。この場合には、表示部に例えば「開封済」などの文字を印刷することで、誰でもが容易に開封の有無を確認することができる。
【００１７】
また、前記第２切取部を第２側板の上部の左右方向の中央部に形成することも好ましい実施の形態である。このように構成すると、既存の設備を用いて第２切取部を差し込み部にホットメルト接着剤などにより接着することができ、既存設備を有効活用して蓋体を接着することができる。
【発明の効果】
【００１８】
本発明に係る第１の開封確認可能な収納箱によれば、蓋体を一旦開封すると、第２切取部は差し込み部に付着した状態となるが、第１切取部は第２側板から切り離されるので、その後閉蓋しても、第１切取部が脱落していることから、開封されたことを目視にて容易に確認することができ、内容物の抜き取りや入れ替えを防止できるとともに、万一、内容物の抜き取りや入れ替えがなされた場合でも、それを容易に発見することが可能となる。しかも、通常、収納箱を構成する素材シートの表面には印刷が施されているが、裏面は無地或いは地肌のままとされており、第１切取部が脱落した後の第２側板の開口からは第２切取部の裏面が露出するので、印刷の有無や印刷形態の差異により、開封されたか否かを明確に且つ容易に確認することができる。また、第２切取部は、収納箱の前面に配置されるので、収納箱を積み重ねて設置した場合でも、前面側から開封されているか否かを確認することができる。更に、特許文献１記載の紙箱とは異なり、封緘テープを用いないので、封緘テープにより収納箱に対する印刷の自由度が制約されることもない。
【００１９】
本発明に係る第２の開封確認可能な収納箱によれば、第１の開封確認可能な収納箱と同様に、第１切取部の脱落の有無により開封されたか否かを目視にて容易に確認できること、収納箱を積み重ねて設置した場合でも、前面側から開封されているか否かを確認できること、特許文献１記載の紙箱とは異なり、封緘テープを用いないので、封緘テープにより収納箱に対する印刷の自由度が制約されないこと、などの効果が得られる。加えて、第１切取部が脱落した後の開口を通して差し込み部の表面が露出するので、収納箱の外面と差し込み部の表面の印刷に色や模様など異なる形態の印刷を施すことで、印刷形態の差異により開封されていることを明確に且つ容易に確認することができる。更に、折り返し部を設ける必要がないので、既存設備をそのまま有効活用して収納箱を組み立てることができる。
【発明を実施するための最良の形態】
【００２０】
以下、本発明の実施の形態について図面を参照しながら説明する。尚、本実施の形態では、図１に示す組立姿勢における収納箱を基準に、前後左右を定義して説明する。
【００２１】
図１〜図４に示すように、収納箱１は、上面を開放した箱本体２と、箱本体２の後側板（これが第１側板に相当する。）３Ｂ（図３参照）に連設されて箱本体２の上面開口部を開閉する蓋体４とを備え、後側板３Ｂに対面する前側板（これが第２側板に相当する。）３Ｆに内側へ折り返して前側板３Ｆに重ね合わされる折り返し部５を連設し、蓋体４の遊端部に、折り返し部５の内面に沿って箱本体２内に差し込み可能な差し込み部６を連設し、前側板３Ｆにおける上部に差し込み部６に対面させて第１切取部７を形成し、第１切取部７に対面する位置において折り返し部５に第２切取部８を形成し、第２切取部８を差し込み部６にホットメルト接着剤などの接着剤９で接着して閉蓋したものである。
【００２２】
収納箱１を構成する素材としては、厚紙や、厚紙に合成樹脂フィルムをラミネートした積層シート、厚手の合成樹脂フィルム等を採用することができる。
【００２３】
先ず、収納箱１の基本構成について、図１〜図４を参照しながら説明する。
図３は、ブランキング状態での素材シートを示すもので、収納箱１の前側板３Ｆには左側板３Ｌ及び右側板３Ｒが折目線Ｌ１、Ｌ２を挟んでそれぞれ連設され、左側板３Ｌには後側板３Ｂが折目線Ｌ３を挟んで連設され、後側板３Ｂには折目線Ｌ４を挟んで糊代部１０が連設されている。そして、４つの側板３Ｆ、３Ｂ、３Ｌ、３Ｒは、素材シートの裏面側を内側にして折目線に沿って折り曲げて、糊代部１０を右側板３Ｒに糊付けすることで、平面視方形状に組み立てられる。
【００２４】
左右の側板３Ｌ、３Ｒの上端には折目線Ｌ５、Ｌ６を挟んで左右の側部翼板１１Ｌ、１１Ｒが回動自在に連設され、後側板３Ｂの上端には折目線Ｌ７を挟んで蓋体４が回動自在に連設されている。蓋体４の遊端部には閉蓋時に収納箱１内に挿入する差し込み部６が折目線Ｌ８を挟んで連設され、収納箱１を組み立てた状態で、左右の側部翼板１１Ｒ、１１Ｌを内側へ倒し、蓋体４を前側へ倒して、差し込み部６を前側板３Ｆの内側に沿って挿入することで、蓋体４を閉蓋できるように構成されている。
【００２５】
左側板３Ｌの下端には折目線Ｌ９を挟んで台形状の左底板１２Ｌが回動自在に連設され、右側板３Ｒの下端には折目線Ｌ１０を挟んで右底板１２Ｒが回動自在に連設され、前側板３Ｆの下端には折目線Ｌ１１を挟んで収納箱１の底面を略閉塞する前底板１２Ｆが回動自在に連設され、後側板３Ｂの下端には折目線Ｌ１２を挟んで後底板１２Ｂが回動自在に連設されている。尚、折目線Ｌ１〜Ｌ１２は、それに沿って素材シートを折り曲げ易くするために形成したもので、細長い条溝を素材シートに型付けしたり、素材シートをハーフカットしたりするなど、周知の方法により形成されている。
【００２６】
右底板１２Ｒにはその右前端部から折目線Ｌ１０に対して約４５°の傾斜角度で斜め後方へ延びる折曲案内線１４が形成され、後底板１２Ｂにはその左後端部から折目線Ｌ１２に対して約４５°の傾斜角度で斜め前方へ延びる折曲案内線１５が形成されている。尚、折曲案内線１４、１５は、細長い条溝を素材シートに型付けしたり、素材シートをハーフカットしたりするとともに、その途中部にミシン目或いは切り込みを一定間隔おきに形成したもので、折目線Ｌ１〜Ｌ１２よりも容易に折曲できるように構成されている。
【００２７】
右底板１２Ｒの折曲案内線１４よりも左後側には折曲案内線１４を中心として回動可能な取付部１２Ｒａが形成され、この取付部１２Ｒａを前底板１２Ｆの下側に重ね合わせて糊付部１６において糊付けすることで、右底板１２Ｒと前底板１２Ｆとは貼着されている。後底板１２Ｂの折曲案内線１５よりも左前側には折曲案内線１５を中心として回動可能な取付部１２Ｂａが形成され、この取付部１２Ｂａを左底板１２Ｌの下側に重ね合わせて糊付部１７において糊付けすることで、左底板１２Ｌと後底板１２Ｂとは貼着されている。前底板１２Ｆは収納箱１の下面を閉塞するように最も内側に配置され、後底板１２Ｂの右部は右底板１２Ｒと前底板１２Ｆ間に配置され、折曲案内線１４、１５に沿って後底板１２Ｂ及び右底板１２Ｒを上側へ折り曲げるとともに、それに連動させて底板１２Ｆ、１２Ｂ、１２Ｌ、１２Ｒをそれぞれ折目線Ｌ１１、Ｌ１２、Ｌ９、Ｌ１０に沿って折り曲げながら、収納箱１の右前端部と左後端部を相互に離間させて、収納箱１を略平板状に折り畳めるように構成されている。尚、右底板１２Ｒと後底板１２Ｂには係合部１８、１９が形成され、収納箱１を組立姿勢とした状態で係合部１８、１９が相互に係合することで、底板１２Ｆ、１２Ｂ、１２Ｌ、１２Ｒの上方への回動が規制され、収納箱１に収納した内容物を容易には取り出せないように構成されている。
【００２８】
尚、収納箱１の基本構成は、折畳姿勢と組立姿勢とにワンタッチで姿勢切換可能なもので、しかも本実施の形態の構成とは異なる構成のものを採用することもできるし、ワンタッチで姿勢切換可能なもの以外に、４つの底板を相互に嵌合させて組み立てるように構成したものや、４乃至２つの底板を接着剤９やテープやステイプラー等により一体的に結合して組み立てるように構成したものなど、任意の構成のものを採用することができる。
【００２９】
本発明は、前述のような基本構成の収納箱１において、前側板３Ｆの上端に折目線Ｌ１３を挟んで折り返し部５を連設し、前側板３Ｆにおける上部に差し込み部６に対面させて第１切取部７を形成し、第１切取部７に対面する位置において折り返し部５に第２切取部８を形成し、第２切取部８を差し込み部６に接着剤９で接着して閉蓋状態に封止したものである。尚、折目線Ｌ１３は、折目線Ｌ１〜Ｌ１２と同様に、細長い条溝を素材シートに型付けしたり、素材シートをハーフカットしたりするなど、周知の方法により形成されている。
【００３０】
折り返し部５は前側板３Ｆの左右方向の略全長にわたって設けられ、折り返し部５の高さは前側板３Ｆの約半分の高さに設定されている。但し、折り返し部５は、第２切取部８を形成可能な幅及び高さを有していれば、任意の大きさに構成することができる。
【００３１】
第１切取部７と収納箱１の左右方向の略中央上部の前側板３Ｆに形成され、第２切取部８とは収納箱１の左右方向の略中央上部の折り返し部５に形成され、第１切取部７と第２切取部８とは折目線Ｌ１３に沿って前後に配置されている。第１切取部７は、親指で押し操作し易いような大きさの略長方形状に形成され、第２切取部８は、第１切取部７と略同じ形状で略同じ大きさに形成され、第１切取部７と第２切取部８の上縁は折目線Ｌ１３の途中部に形成された切込２０により完全に分離されている。第１切取部７の左右の側縁と下縁はミシン目２１を介して第１切取部７の外側の前側板３Ｆに断続的に接続され、第１切取部７は、ミシン目２１に沿って第１切取部７を前側板３Ｆから切り離すことで、収納箱１から分離できるように構成されている。また、第２切取部８の左右の側縁と下縁とはミシン目２２を介して第２切取部８の外側の折り返し部５に断続的に接続され、閉蓋状態で第２切取部８は接着剤９で差し込み部６に接着され、蓋体４を開封操作すると、ミシン目２２に沿って折り返し部５から分離されて、差し込み部６に付着した状態で蓋体４が開蓋されるように構成されている。
【００３２】
尚、本実施の形態では、第１切取部７と第２切取部８とを略同じ形状で略同じ大きさに形成したが、両切取部７、８の形状及び大きさは任意に設定可能である。また、既存の設備を用いて第２切取部８を差し込み部６に接着剤９で接着できるようにするため、両切取部７、８を収納箱１の左右方向の中央部に形成したが、両切取部７、８は対面する位置に配置されていれば、収納箱の形状などに応じて任意の位置に設けることができる。
【００３３】
この収納箱１においては、図１に示すように収納箱１を組み立て、収納箱１の第２切取部８の後面或いは第２切取部８に対面する差し込み部６の前面に接着剤９を付着させた状態で、収納箱１内に図示外の内容物を装填して、蓋体４を閉じ、接着剤９としてホットメルト接着剤を用いる場合には、第１切取部７の前側から接着剤９を加熱して、第２切取部８と差し込み部６とを接着し、収納箱１を閉蓋状態に封止することになる。
【００３４】
また、収納箱１を開封する際には、第１切取部７に指を押し付けて、ミシン目２１に沿って第１切取部７を前側板３Ｆから切り離すとともに、ミシン目２２に沿って第２切取部８を折り返し部５から切り離して、開蓋操作することになるが、このとき、図２に示すように、第１切取部７は収納箱１から切り離されて脱落し、第２切取部８は接着剤９で差し込み部６に接着された状態で、開蓋されることになる。このため、収納箱１を一旦開封操作すると、第１切取部７が収納箱１から脱落し、その後には第１開口部２３が形成されるので、開封操作後に、蓋体４を閉蓋状態に戻しても、第２切取部８を構成する素材シートの裏面側が、第１開口部２３から外部に露出することになり、印刷等が施された前側板３Ｆと、第１開口部２３から露出する第２切取部８の裏面との視覚的差異により、収納箱１が開封されていることを目視にて容易に確認することができる。
【００３５】
このように、この収納箱１では、開封を容易に確認できるので、内容物の抜き取りや入れ替えなどの不正がなされた後、開蓋するという不正を目視にて容易に発見することができる。また、第２切取部８は、収納箱１の前面に配置されるので、収納箱１を積み重ねて陳列した場合でも、前面側から開封されているか否かを容易に確認することができる。更に、封緘テープを用いないので、封緘テープにより収納箱１に対する印刷の自由度が制約されることもないし、収納箱１の製作コストが高くなることもない。しかも、第２切取部８と差し込み部６とを収納箱１の左右方向の中央部に配置できるので、既存の加熱設備を用いて両者を接着できる。
【００３６】
次に、前記収納箱１の構成を部分的に変更した他の実施の形態について説明する。尚、前記実施の形態と同一部材には同一符号を付してその詳細な説明を諸略する。
（１）図５〜図７に示す収納箱１Ａの箱本体２Ａのように、前記第２切取部８の下半部を切除した第２切取部８Ａを形成し、第２切取部８Ａの下側に第２開口部２４Ａを形成し、この第２開口部２４Ａに対面する位置において差し込み部６に表示部２５Ａを形成して、この表示部２５Ａに例えば「開封済」の文字を印刷することもできる。この収納箱１Ａでは、収納箱１Ａに内容物を装填して閉蓋した状態で、第２切取部８Ａを接着剤９で差し込み部６に接着し、収納箱１Ａを閉蓋状態に封止することになる。また、第１切取部７を指で押して収納箱１Ａを開封すると、図６に示すように、第１切取部７が脱落するとともに、第２切取部８Ａが差し込み部６に付着して、第２切取部８Ａの下側に「開封済」の文字が現れることになる。このため、開封後閉蓋しても、この「開封済」という文字が第１開口部２３及び第２開口部２４Ａを通じて外部に露出することになり、誰でもが容易に開封済みを確認できることになる。
【００３７】
（２）図８〜図１０に示す収納箱１Ｂの箱本体２Ｂのように、前記第２切取部８の上半部を切除した第２切取部８Ｂを形成し、第２切取部８Ｂの上側に第２開口部２４Ｂを形成し、この第２開口部２４Ｂに対面する位置において差し込み部６に表示部２５Ｂを形成して、この表示部２５Ｂに例えば「開封済」の文字を印刷することもできる。この収納箱１Ｂでは、収納箱１Ｂに内容物を装填して閉蓋した状態で、第２切取部８Ｂを接着剤９で差し込み部６に接着し、収納箱１Ｂを閉蓋状態に封止することになる。また、第１切取部７を指で押して収納箱１Ｂを開封すると、図９に示すように、第１切取部７が脱落するとともに、第２切取部８Ｂが差し込み部６に付着して、第２切取部８Ｂの上側に「開封済」の文字が現れることになる。このため、開封後閉蓋しても、この「開封済」という文字が第１開口部２３及び第２開口部２４Ｂを通じて外部に露出することになり、誰でもが容易に開封済みを確認することが可能となる。
【００３８】
（３）図１１〜図１３に示す収納箱１Ｃの箱本体２Ｃのように、第２切取部８の左右両側部の高さ方向の途中部を切除した第２切取部８Ｃを形成し、第２切取部８Ｃの左右両側部に第２開口部２４Ｃを形成し、この第２開口部２４Ｃに対面する位置において差し込み部６に表示部２５Ｃを形成して、この表示部２５Ｃに例えば「開済」の文字を印刷することもできる。この収納箱１Ｃでは、収納箱１Ｃに内容物を装填して閉蓋した状態で、第２切取部８Ｃを接着剤９で差し込み部６に接着し、収納箱１Ｃを閉蓋状態に封止することになる。また、第１切取部７を指で押して収納箱１Ｃを開封すると、図１２に示すように、第１切取部７が脱落するとともに、第２切取部８Ｃが差し込み部６に付着して、第２切取部８Ｃの左右に「開済」の文字が現れることになる。このため、開封後閉蓋しても、この「開済」という文字が第１開口部２３及び第２開口部２４Ｃを通じて外部に露出することになり、誰でもが容易に開封済みを確認することが可能となる。
【００３９】
（４）図１４〜図１６に示す収納箱１Ｄの箱本体２Ｄのように、折り返し部５を省略し、第１切取部７の下側において前側板３Ｆに第２切取部８Ｄを形成して、第２切取部８Ｄの上縁と第１切取部７間に切込２０Ｄを形成し、第２切取部８Ｄの上縁以外はミシン目２６Ｄを介して第２切取部８Ｄの外側の前側板３Ｆに断続的に接続し、第１切取部７に対面する位置において差し込み部６に表示部２５Ｄを形成して、この表示部２５Ｄに例えば「開封済」の文字を印刷することもできる。この収納箱１Ｄでは、収納箱１Ｄに内容物を装填して閉蓋した状態で、第２切取部８Ｄを接着剤９で差し込み部６に接着し、収納箱１Ｄを閉蓋状態に封止することになる。また、第１切取部７を指で押して収納箱１Ｄを開封すると、図１６に示すように、第１切取部７が脱落するとともに、第２切取部８Ｄがミシン目２６Ｄに沿って前側板３Ｆから切り取られて差し込み部６に付着することになる。このため、開封後閉蓋すると、第１開口部２３を通じて表示部２５Ｄの「開封済」という文字が外部に露出することになり、誰でもが容易に開封済みを確認することが可能となる。しかも、この収納箱１Ｄでは、折り返し部５を形成する必要もないので、既存の箱に対しても容易に適用できる。
【００４０】
（５）図１７〜図１９に示す収納箱１Ｅの箱本体２Ｅのように、折り返し部５を省略し、第１切取部７を前側板３Ｆの左右方向の略中央部よりもやや右寄りに形成し、第１切取部７の左側において前側板３Ｆの左右方向の略中央部に第２切取部８Ｅを形成して、第２切取部８Ｅの右縁と第１切取部７間に切込２０Ｅを形成し、第２切取部８Ｅの右縁以外はミシン目２６Ｅを介して第２切取部８Ｅの外側の前側板３Ｆに断続的に接続し、第１切取部７に対面する位置において差し込み部６に表示部２５Ｅを形成して、この表示部２５Ｅに例えば「開封済」の文字を印刷することもできる。この収納箱１Ｅでは、収納箱１Ｅに内容物を装填して閉蓋した状態で、第２切取部８Ｅを接着剤９で差し込み部６に接着し、収納箱１Ｅを閉蓋状態に封止することになる。また、第１切取部７を指で押して収納箱１Ｅを開封すると、図１８に示すように、第１切取部７が脱落するとともに、第２切取部８Ｅがミシン目２６Ｅに沿って前側板３Ｆから切り取られて差し込み部６に付着することになる。このため、開封後閉蓋すると、第１開口部２３を通じて表示部２５Ｅの「開封済」という文字が外部に露出することになり、誰でもが容易に開封済みを確認することが可能となる。しかも、この収納箱１Ｅでは、折り返し部５を形成する必要もないので、既存の箱に対しても容易に適用できる。また、この収納箱１Ｅでは、第２切取部８Ｅを前側板３Ｆの左右方向の略中央部に形成しているので、既存の加熱設備をそのまま利用して、第２切取部８Ｅを差し込み部６に接着することができる。
【００４１】
尚、収納箱１Ａ〜１Ｃのように構成する場合において、第２切取部における第２開口部の形成位置や形状は、接着剤９による第２切取部と差し込み部６との接着を阻害しない範囲で、任意に設定することが可能である。また、収納箱１Ｄ、１Ｅでは第２切取部８Ｄ、８Ｅを第１切取部７に密接させて配置したが、第１切取部７の近くに隙間をあけて、第１切取部７とは独立して配置させ、ミシン目を介して第２切取部８の外側の前側板３Ｆに断続に接続することもできる。更に、表示部２５Ａ〜２５Ｅに対する印刷は、開封されたことを誰でもが容易に確認できる内容であれば、「開済」や「開封済」以外の文字や絵柄にすることもできる。
【図面の簡単な説明】
【００４２】
【図１】蓋体をやや開いた状態での収納箱の斜視図
【図２】開封後、蓋体をやや開いた状態での収納箱の斜視図
【図３】同収納箱の素材シートの平面図
【図４】収納箱の底面図
【図５】他の構成の収納箱の図１相当図
【図６】同収納箱の図２相当図
【図７】同収納箱の図３相当図
【図８】他の構成の収納箱の図１相当図
【図９】同収納箱の図２相当図
【図１０】同収納箱の図３相当図
【図１１】他の構成の収納箱の図１相当図
【図１２】同収納箱の図２相当図
【図１３】同収納箱の図３相当図
【図１４】他の構成の収納箱の図１相当図
【図１５】同収納箱の図２相当図
【図１６】同収納箱の図３相当図
【図１７】他の構成の収納箱の図１相当図
【図１８】同収納箱の図２相当図
【図１９】同収納箱の図３相当図
【符号の説明】
【００４３】
１        収納箱          ２        箱本体
３Ｂ      後側板          ３Ｆ      前側板
３Ｌ      左側板          ３Ｒ      右側板
４        蓋体            ５        折り返し部
６        差し込み部      ７        第１切取部
８        第２切取部      ９        接着剤
１０      糊代部
１１Ｌ    側部翼板        １１Ｒ    側部翼板
１２Ｂ    後底板          １２Ｆ    前底板
１２Ｌ    左底板          １２Ｒ    右底板
１２Ｂａ  取付部          １２Ｒａ  取付部
１４      折曲案内線      １５      折曲案内線
１６      糊付部          １７      糊付部
１８      係合部          １９      係合部
２０      切込            ２１      ミシン目
２２      ミシン目        ２３      第１開口部
Ｌ１〜Ｌ１３    折目線
１Ａ〜１Ｅ      収納箱
２Ａ〜２Ｅ      箱本体
８Ａ〜８Ｅ      第２切取部
２４Ａ〜２４Ｃ  第２開口部
２５Ａ〜２５Ｅ  表示部
２０Ｄ    切込          ２６Ｄ    ミシン目
２０Ｅ    切込          ２６Ｅ    ミシン目
【図１】
2008120420.tif 000003
【図２】
2008120420.tif 000004
【図３】
2008120420.tif 000005
【図４】
2008120420.tif 000006
【図５】
2008120420.tif 000007
【図６】
2008120420.tif 000008
【図７】
2008120420.tif 000009
【図８】
2008120420.tif 000010
【図９】
2008120420.tif 000011
【図１０】
2008120420.tif 000012
【図１１】
2008120420.tif 000013
【図１２】
2008120420.tif 000014
【図１３】
2008120420.tif 000015
【図１４】
2008120420.tif 000016
【図１５】
2008120420.tif 000017
【図１６】
2008120420.tif 000018
【図１７】
2008120420.tif 000019
【図１８】
2008120420.tif 000020
【図１９】
2008120420.tif 000021